(57)【要約】【課題】温度条件、攪拌条件、圧力条件等の個々の操作条件や、操作に用いられる機器の材質、容量、消費電力、形状、大きさ等の機器仕様の詳細が一見して理解することができるようにする。【解決手段】各操作手順に対応する位置に、各操作を行うにあたって守るべき条件である各種パラメータ（温度や圧力など）などに関する操作条件や、どのような機器を使うかに関する機器条件を提示する。したがって、各操作を行うにあたって、そのための細かな条件を、迅速に確認することができる。【選択図】　図２
2004062458.tif 000002
【特許請求の範囲】
【請求項１】
一つ以上の機器を用いて一つ以上の操作によって処理前対象物から処理済対象物を生成する処理の操作手順を提示部に提示する操作手順提示装置において、
上記提示部が、
操作同士の連関を示すことによって操作手順を提示する操作手順提示部と、
該操作の条件を提示する操作条件提示部と、
該機器の条件を提示する機器条件提示部とを備えていることを特徴とする操作手順提示装置。
【請求項２】
上記操作手順提示部が、提示している上記操作手順の提示位置に対して、より詳細な情報を提示させる旨の指示を受けると、上記提示部が、指示された位置に対応する各種情報の、より詳細な情報を提示し得る装置であることを特徴とする請求項１に記載の操作手順提示装置。
【請求項３】
上記操作条件提示部が、提示している上記操作条件の提示位置に対して、より詳細な情報を提示させる旨の指示を受けると、上記提示部が、指示された位置に対応する各種情報の、より詳細な情報を提示し得る機器であることを特徴とする請求項１または２に記載の操作手順提示装置。
【請求項４】
上記機器条件提示部が、提示している上記機器条件の提示位置に対して、より詳細な情報を提示させる旨の指示を受けると、上記提示部が、指示された位置に対応する各種情報の、より詳細な情報を提示し得る装置であることを特徴とする請求項１ないし３のいずれかに記載の操作手順提示装置。
【請求項５】
操作者から上記各操作の内容の入力を受け付ける入力部を備え、
上記入力部から入力された操作内容に基づき、上記操作手順提示部が上記操作手順を提示し得る装置であることを特徴とする請求項１ないし４のいずれかに記載の操作手順提示装置。
【請求項６】
コンピュータを、請求項１ないし５のいずれかに記載の操作手順提示装置における提示部として機能せしめてなるプログラム。
【請求項７】
請求項６に記載のプログラムを格納してなる、プログラムを格納したコンピュータ読みとり可能な記録媒体。
【発明の詳細な説明】
【０００１】
【発明の属する技術分野】
本発明は、化学工業や食品工業等に用いられる機器の機器操作の操作手順を示す操作手順提示装置、該装置を機能させるプログラムおよび該プログラムを格納したコンピュータ読みとり可能な記録媒体に関するものである。
【０００２】
【従来の技術】
化学工業や食品工業等において、処理前対象物を処理して処理済対象物を得る場合、処理の個々の操作手順を、例えばブロックフロー図のように表示することは、すでに知られている。
【０００３】
【発明が解決しようとする課題】
しかしながら、従来のブロックフロー図では、操作手順の順番は明確に示されるものの、例えば、温度条件、攪拌条件、圧力条件等の個々の操作条件については詳細がわからなかったり、操作に用いられる機器の材質、容量、消費電力、形状、大きさ等の機器条件の詳細がわからなかったりするという問題があった。
【０００４】
本発明は、上記問題点に鑑みなされたものであり、その目的は、温度条件、攪拌条件、圧力条件等の個々の操作条件や、操作に用いられる機器の材質、容量、消費電力、形状、大きさ等の機器条件の詳細が一見して理解することができる操作手順提示装置、プログラムおよびプログラムを格納したコンピュータ読みとり可能な記録媒体を提供することにある。
【０００５】
【課題を解決するための手段】
上記の課題を解決するため、請求項１記載の操作手順提示装置は、一つ以上の機器を用いて一つ以上の操作によって処理前対象物から処理済対象物を生成する処理の操作手順を提示部に提示する操作手順提示装置において、上記提示部が、操作同士の連関を示すことによって操作手順を提示する操作手順提示部と、該操作の条件を提示する操作条件提示部と、該機器の条件を提示する機器条件提示部とを備えていることを特徴としている。
【０００６】
個々の処理同士の前後関係の示し方には、例えば、表示画面の最も上に、時間的に最も早くすべき処理を表示し、そこから画面の下方向に向かって、時間的に早くすべき処理の順に並べて表示する、というやり方も含まれる。
【０００７】
上記の構成により、上記提示部上で、各操作手順に対応する位置に、各操作を行うにあたって守るべき条件である操作条件および機器条件が提示される。操作条件としては、例えば、その機器で各種パラメータ（温度や圧力など）をどのように設定するかを挙げることができ、機器条件としては、例えば、どのような機器を使うかを挙げることができる。
【０００８】
したがって、各操作を行うにあたって、そのための細かな条件を、迅速に確認することができる。それゆえ、温度条件、攪拌条件、圧力条件等の個々の操作条件や、操作に用いられる機器の材質、容量、消費電力、形状、大きさ等の機器仕様の詳細が一見して理解することができるようにすることができる。
【０００９】
請求項２記載の操作手順提示装置は、請求項１の構成に加えて、上記操作手順提示部が、提示している上記操作手順の提示位置に対して、より詳細な情報を提示させる旨の指示を受けると、上記提示部が、指示された位置に対応する各種情報の、より詳細な情報を提示することを特徴としている。
【００１０】
請求項３記載の操作手順提示装置は、請求項１の構成に加えて、上記操作条件提示部が、提示している上記操作条件の提示位置に対して、より詳細な情報を提示させる旨の指示を受けると、上記提示部が、指示された位置に対応する各種情報の、より詳細な情報を提示することを特徴としている。
【００１１】
請求項４記載の操作手順提示装置は、請求項１の構成に加えて、上記機器条件提示部が、提示している上記機器条件の提示位置に対して、より詳細な情報を提示させる旨の指示を受けると、上記提示部が、指示された位置に対応する各種情報の、より詳細な情報を提示することを特徴としている。
【００１２】
上記の構成により、上記提示部上で各種情報（操作手順、操作条件、機器条件）が提示されている位置に対して、より詳細な情報を提示させる旨の指示を操作者が行うだけで、指示された位置に対応する各種情報の、より詳細な情報が提示される。
【００１３】
ここで、上記の指示された位置に対応する情報を提示させる旨の指示としては、例えば、該当情報の提示位置をマウスなどのポインティングデバイスでクリックする操作などを挙げることができる。
【００１４】
したがって、操作者は、上記各種情報を表示している画面とは別個に所望の処理を指定してそれについてのより詳細な情報を提示させる旨の指示を行うというような手間をとる必要がない。それゆえ、上記の構成による効果に加えて、操作手順、機器への物質収支および機器条件をいっそう容易に理解することができる。
【００１５】
請求項５記載の操作手順提示装置は、操作者から上記各操作の内容の入力を受け付ける入力部を備え、上記入力部から入力された操作内容に基づき、上記操作手順提示部が上記操作手順を提示することを特徴としている。
【００１６】
上記の構成により、入力部から入力された操作内容に基づき、上記操作手順提示部にて上記操作手順が提示される。
【００１７】
したがって、操作者は、操作内容を入力するだけでよく、実際の表示用の図を一から設計する必要がない。それゆえ、上記の構成による効果に加えて、作業の省力化が実現できる。
【００１８】
請求項６記載のプログラムは、コンピュータを、請求項１ないし５のいずれかに記載の操作手順提示装置における提示制御部として機能させることを特徴としている。
【００１９】
請求項７記載のプログラムを格納したコンピュータ読みとり可能な記録媒体は、請求項６記載のプログラムを格納したことを特徴としている。
【００２０】
【発明の実施の形態】
本発明の実施の一形態について図１ないし図４に基づいて説明すれば、以下の通りである。
【００２１】
本実施の形態において、「操作」とは、仕込、混合、攪拌、蒸留、乾燥などの単位操作等、操作者が実施する内容を意味し、その内容については、操作者が一つのまとまりとして任意に表示しうる。例えば、原料を機器に仕込み、攪拌する処理について、操作者がこの処理を「仕込」→「攪拌」と表示したい場合には、「仕込」および「攪拌」がそれぞれ一つの操作として表示され、操作者がこれの操作を「混合」という一つの内容と認識して表示したい場合には、「混合」が一つの操作として表示される。
【００２２】
「処理」とは、上記で定義された一連の操作の連関全体を意味する。具体的には、処理前対象物を仕込み、攪拌し、蒸留し、取り出して処理済対象物を得る場合、「仕込」→「攪拌」→「蒸留」→「取出」の操作の連関をまとめて、処理前対象物を「処理」して処理済対象物を得る、と表現する。
【００２３】
本発明の操作手順提示装置は、連続プロセス、半回分式プロセス、回分式プロセスなど任意のプロセスの操作手順について提示可能であるが、以下の本実施の形態は、バッチプロセス（回分式プロセス）に従い、化学工業製品を製造する構成例である。すなわち、本実施の形態においては、機器を一つまたは複数個を順次用いて、所定の操作手順（レシピ）に従って化学工業製品を製造する。
【００２４】
まず、一つの機器で、中を空にすることなく最初から最後まで処理する場合について述べる。レシピは例えば以下の通りである（レシピＲ１とする）。
（１）ある機器に原料Ａを１０００ｋｇ仕込む。
（２）加熱する。
（３）そこへ、原料Ｂを８００ｋｇ滴下する。
（４）蒸留し、留出液を３００ｋｇ得る。
【００２５】
このレシピは、後述のコンピュータソフトウエア（操作手順提示プログラムと称する）を使用することにより、図２中、左側に示すようなブロックフロー図を用いた操作工程図へと変換される。この操作工程図は、操作手順提示装置としてパーソナルコンピュータなどを用い、その提示部として設けられたディスプレイ画面内の、所定の操作工程図表示画面で表示することが可能である。
【００２６】
なお、ここでは、各処理が矩形図形内に表示されるとともに、各矩形が、処理が行われる順に上から下へと矢印でつながれている。なお、表示は、上から下へのほかにも、左から右、右から左、下から上、斜め上から斜め下などでもよく、操作者が、見やすい形態を選べるようにすることもできる。
【００２７】
本実施の形態においては、機器へ投入される物質が、その投入を行う該当操作の左に描かれ、その物質から該当操作へと矢印が引かれる。その矢印の近傍には、その物質の量が表示される。機器から排出される物質は、その排出を行う該当操作の右に描かれ、その該当操作から物質へと矢印が引かれる。その矢印の近傍には、その物質の量が表示される。なお、これとは逆に、投入物質を該当操作の右に、排出物質を該当操作の左にそれぞれ描き、矢印を逆向きに付けてもよい。
【００２８】
なお、機器へ投入される物質および機器から排出される物質をストリームと総称することにする。
【００２９】
また、ここでは、操作については矩形内に表示し、投入あるいは排出される物質（ストリーム）はそのまま表示しているが、操作名や物質名がどこからどこまでかを明示できればよい。例えば、「仕込」操作であれば、「仕」の文字が操作名の初めであって「込」の文字が操作名の終わりであることが操作者にわかればよい。そのため、矩形以外の図形（円や楕円など）で囲んでもよいし、あるいは、該当文字に下線を引く、該当文字に目立つ色を付けるなどであってもよい。
【００３０】
上記の、操作、投入物質および排出物質の表示の仕方は、特に断りのない限り、本実施の形態においては共通であり、以下では説明を省略する。
【００３１】
次に、一つの機器で生成した反応物を一旦その機器から取り出して機器内を空にし、その反応物を、別のまたは同一の機器に入れて、続きの化学反応を行う場合について述べる。レシピは例えば以下の操作（１）〜（７）の通りである（レシピＲ２とする）。
（１）機器Ｒ−１００に原料Ａをａｋｇ仕込む。（ａはある値）
（２）加熱する。
（３）冷却する。
（４）機器Ｒ−１００から機器Ｒ−２００へ送出（取り出す）し、反応物１２３４ｋｇを得る。
（５）機器Ｒ−２００にて受け入れる。すなわち、操作（４）で得られた反応物を入れる。
（６）原料Ｂを５６７ｋｇ仕込む。
（７）加熱する。
【００３２】
このレシピは、後述の操作手順提示プログラムを使用することにより、図３や図４中、左側に示すようなブロックフロー図による操作工程図へと変換される。なお、操作（１）、（２）、（７）は図示を省略している。
【００３３】
概要は以下の通りである。すなわち、本実施の形態は、処理前対象物である投入物質を処理して処理済対象物である排出物質を生成する機器を一つ以上使って行う一連の操作について、個々の操作同士の時間的な前後関係をディスプレイ画面（表示部）に表示することで操作手順を表示する操作手順提示装置としてのコンピュータを用いている。そして、操作手順を表示するときに、同一の機器で行う操作同士については、操作を表す図形（例えば矩形図形）同士を、行う時間的な順序に従って所定方向（例えば縦）の線（例えば矢印線）でつないで表示するという第１ルールに則って提示し、一方、異なる機器で行う操作同士については、上記第１ルールとは異なり、操作を表す図形（例えば矩形図形）同士を、上記第１ルールで採用する線（例えば縦）で接続しないで表示するという第２ルールに則って提示するようにしている。
【００３４】
なお、ここでは上記のように、第１ルールとして、同じ機器で行う操作同士については操作同士を縦線でつなぎ、第２ルールとして、異なる機器で行う操作同士については、上記第１ルールとは異なり、操作同士を縦線で接続しないで表示するというルールを採用している。これ以外の例としては、例えば、ある機器の操作を表す矩形図形は黄色で描き、機器が替わると、操作を表す矩形図形を白で描くなど、色分けするようにしてもよい。あるいは、機器が替わるところで、替わる直前の操作と替わった直後の操作との両矩形図形の間の位置で、ディスプレイ画面の左端から右端に渡る境界線となる直線を引くようにしてもよい。
【００３５】
また、前の機器から得られる反応物が後の機器に投入される原料となる場合には、図３に示すように、その反応物を表す図形から、上記縦線とは別の線で、後側の機器の初めの操作まで線を引く。あるいは、図４に示すように、両物質が同一であることを、記号などを用いて示す。
【００３６】
より詳しくは、上記図３に示すように、操作（４）で機器Ｒ−１００の排出物質である「反応物」から、さらに右へ線が引かれ、操作工程図表示画面の右端あるいはその手前で下へ向かい、今度は逆に左へ線が引かれ、操作工程図表示画面の左端あるいはその手前で下へ向かい、今度は逆に右へ線が引かれ、２番目の機器で行う最初の操作である操作（５）を表す矩形図形へと達している。
【００３７】
あるいは、機器Ｒ−１００の排出物質である反応物と、機器Ｒ−２００の投入物質である上記反応物とを、別個に描き、それらを、一方が他方の続きであることがわかるような線でつないで表すようにしてもよい。例えば、図４に示すように、操作（４）で１番目の機器Ｒ−１００の排出物質である「反応物」から、さらに右へ線が引かれ、操作工程図表示画面の右端あるいはその手前でとぎれるとともに、所定の記号（ここでは丸で囲った数字「１」）等の印を付す。そして、その少し下で、操作工程図表示画面の左端あるいはその手前から、それと同じ記号等の印を付した右向きの新たな矢印が描かれ、その矢印が、上記と同じ「反応物」である、機器Ｒ−２００にとっての投入物質を表す左側へ達し、さらに、機器Ｒ−２００で行う最初の操作である操作（５）を表す矩形図形へと達している。
【００３８】
図３のように表示するか、図４のように表示するかは、その選択のためのメニューを上記操作手順提示プログラムが備えることにより、操作者が任意に選択することができる。
【００３９】
このような表示により、一旦１番目の機器から物質が出ていき、別のまたは同一の、２番目の機器へその物質が入るということを、操作者が容易に把握することができる。
【００４０】
このような提示は、上記ディスプレイ画面を制御する提示制御部を備えていることによって行っており、提示制御部は、具体的には、フレキシブルディスクやＣＤ−ＲＯＭなどに格納され、実行時に読み出される操作手順提示プログラムと、それを実行するＣＰＵ（中央演算処理部）とで実現することができる。例えば、図１に示すように、ＣＰＵ１２に、ディスプレイ画面である表示部（提示部）１３、ＲＯＭ（リードオンリーメモリ）やＲＡＭ（ランダムアクセスメモリ）などの記憶部１４、ハードディスク装置やフレキシブルディスク装置、ＣＤ−ＲＯＭ装置などの外部記憶装置１５が接続されたコンピュータシステム（操作手順提示装置）１１を用い、外部記憶装置１５から操作手順提示プログラムを記憶部１４に読み込んでＣＰＵ１２が実行することで、実現することができる。また、操作者から各操作の内容の入力を受け付けるキーボードやマウスなどの入力部１６がＣＰＵ１２に接続されている。
【００４１】
次に、上記操作工程図を作成する手順について例示する。
【００４２】
まず、操作者がレシピを作成する。これは、例えば、表の各セルに各種データを埋め込んでいくような態様を採用してもよい。
【００４３】
表の最上段の行は見出し欄として、例えば各列に以下のような項目等をあらかじめ記載しておけば入力しやすい。
（１）操作名。
（２）この操作から、下向きに、どの操作へ縦線を引くか。
（３）その操作へ投入される投入物質の名。
（４）投入物質の量。
（５）その操作から排出される排出物質の名。
（６）排出物質の量。
（７）上記投入物質が、別の操作における排出物質である場合、どの操作の排出物質であるか。
【００４４】
上記項目（２）ないし項目（７）において、該当しないときは、その旨を意味するデータを入力する（空欄にしておくというケースも含む）。該当しないときとは、項目（１）においては、縦線を引かない場合である。項目（３）や項目（６）においては、物質の投入や排出を行わない場合である。
【００４５】
表の各行には重複しない番号（行番号）をあらかじめ付けておけば入力しやすい。例えば、１、２、３、…のように１から始まる整数とする。この場合、上記項目（２）は、例えば、「３」と入力すれば、「行番号３の操作へ縦線を引く」という意味の入力が可能になる。またこの場合、縦線を引かないのであれば、その旨を意味するデータとして、例えば「０」を入力すればよい。また、デフォルトとして、何も入力しなければ、すぐ下の操作へ縦線をつなぐという意味に解釈されるようにしてもよい。
【００４６】
なお、上記の例ではレシピを表形式で入力したが、例えばＣＳＶ（Ｃｏｍｍａ　Ｓｅｐａｒａｔｅｄ　Ｖａｌｕｅ）形式等のテキストファイルで入力するようにしてもよい。また、あらかじめ、対話形式でレシピデータの入力が行えるようなソフトウエアを用意しておき、画面からの問い合わせに応じて操作者が順次操作名や投入物質名などのレシピデータを入力するようにしてもよい。
【００４７】
また、これらのレシピデータは、操作者が手動で入力してもよいし、あるいは、あらかじめ、種々の条件値を操作者が任意に入力すると、そこからあらかじめ決めておいた制限から、最適なレシピデータを計算するソフトウエアがあればそれを利用して、計算された最適なレシピデータを操作者が入力してもよい。あるいは、これらのデータをデータベースとして格納しているシステムが存在すれば、それを引いてくることもできる。
【００４８】
また、さらに、そのようなソフトウエアから上記の表へ、そのような計算された最適なレシピデータが自動的に読み込まれるようにしてもよい。また、そのようなソフトウエアから得られるレシピデータに、操作者が手動で入力したレシピデータを追加するようにしてもよい。
【００４９】
以上の入力が完了すると、操作手順提示プログラム側では、項目（１）に従って操作名を、記載された順に上から下へ矩形で囲って描き、項目（２）に従って矩形図形を縦線でつないでいく。
【００５０】
また、項目（７）に従って、図３の場合であれば、上述した通り、前の処理での排出物質である「反応物」から、画面上の右方向へ矢印を延長し、下へ向かい、その反応物の排出操作である「送出」操作とその反応物の投入操作である「受入」操作との間を通る水平な直線で左へ移動し、下へ向かい、右向きの水平な直線で上記「受入」操作へ到達するように線を描く。
【００５１】
あるいはまた、項目（７）に従って、図４の場合であれば、上述した通り、前の処理での排出物質である「反応物」から、画面上の右方向へ矢印を延長し、そこで線を止めるとともに、この線を特定できる記号（丸で囲った数字「１」）を付す。そして、後の処理での投入物質である「反応物」とともに、その「反応物」に入射する矢印を描き、その矢印の端に上記と同じ記号を表示して、これが上記の前の処理での排出物質であることを示す。
【００５２】
もし同じような物質の流れがあった場合、上記の線を特定できる記号は、この操作手順提示プログラムが自動的に付けていく。例えば、２個あった場合は一つ目を丸付き数字の「１」とし、二つ目を丸付き数字の「２」とする。
【００５３】
図３のような表示するか、図４のような表示するかは、上述した通り、上記操作手順提示プログラムが備える、選択のためのメニューで操作者があらかじめ任意に選択しており、操作手順提示プログラムは、どちらが選択されたかを示す情報をメモリなどの記憶部に格納し、操作工程図を描くときにその情報を参照する。あるいは、例えば単一ページ内に描ける場合は図２のように表示し、複数ページにわたる場合は図３のように表示する、というように、プログラムで自動的に判定させるようにしてもよい。
【００５４】
このようにして操作工程図が描かれる。
【００５５】
ここで、本実施の形態では、図２ないし図４に示すように、操作工程図に加えて、操作条件や機器条件等の処理条件を併せて表示するようにしている。
【００５６】
図２に示すように、ディスプレイ画面上において、操作工程図の右隣であって各操作（（１）ないし（４））に対応する位置に、各操作に関する操作条件と機器条件とが表示される。すなわち、ディスプレイ画面の表示領域が横３つに区分けされ、左から順に、操作工程図表示用領域（操作手順提示部）、操作条件表示用領域（操作条件提示部）、機器条件表示用領域（機器条件提示部）となる。そして、ディスプレイ画面上で、各操作を表す図形と同じ行あるいはその近傍の位置であって、操作条件表示用領域と機器条件表示用領域とのそれぞれに、対応する各操作に関する操作条件と機器条件とが表示される。
【００５７】
操作条件とは、例えば、その機器で各種パラメータ（温度や圧力など）をどのように設定するかを表すものである。図２の例では、操作（１）の「仕込」操作については、この操作を常温で行う旨の条件が表示されている。同様に、操作（２）の「加熱」操作については、この操作を８０℃に達するまで行う旨の条件が表示されている。同様に、操作（３）の「滴下」操作については、この操作を８０℃±５℃で５時間行う旨の条件が表示されている。同様に、操作（４）の「蒸留」操作については、この操作を１０ｋＰａで行う旨の条件が表示されている。
【００５８】
機器条件とは、例えば、どのような機器を使うかを表すものである。図２の例では、操作（１）で挿入される原料Ａは２０００Ｌ（リットル）のフレキシブルコンテナすなわちフレコンに格納されていることを意味し、操作（１）の「仕込」操作については、この操作を「Ｒ−１００」という機器で行う旨、また、その機器の容量が３０００リットルであり、その機器がグラスライニング（ＧＬ）の内張を施されたタイプのものである旨の説明が表示されている。なお、グラスライニングとは、機器の反応釜の内壁にガラスを塗布したものをいう。同様に、操作（２）、（３）、（４）の各操作について、これと同じ機器を使う旨の条件が表示されている。
【００５９】
本実施の形態では、このように、ディスプレイ画面（提示部）上で、各操作に対応する位置に、各操作を行うにあたって守るべき条件である操作条件を提示するようになっている。
【００６０】
このような提示は、上記同様、上記ディスプレイ画面を制御する提示制御部によって行っており、提示制御部は、具体的には、操作手順提示プログラムと、それを実行するＣＰＵ（中央演算処理部）とで実現することができる。
【００６１】
なお、操作条件および機器条件のうち、両方を表示させてもよく、片方だけを表示させてもよく、両方とも表示させないようにすることもでき、その選択は操作者が任意に行えるようになっている。
【００６２】
また、この例では、ディスプレイ画面の横３つに区分けされた表示領域が、左から順に、操作工程図表示用領域、操作条件表示用領域、機器条件表示用領域となっているが、例えば左から順に、操作条件表示用領域、操作工程図表示用領域、機器条件表示用領域としても、またそれ以外でもよく、ディスプレイ画面の横３つに区分けされた表示領域のどこに上記３種のうちどの情報を配置させるかの選択は操作者が任意に行えるようになっている。
【００６３】
ここで、例えば、ある操作を行った後に、その生成物の物性や収率などを調べるために、分析処理を適宜設定することができる。これは、他の操作同様、一つの独立した処理として、分析対象の処理のすぐ下に縦線でつないで表示してもよい。あるいは、分析対象の処理を表す矩形図形の斜め下などに、ここで分析を行う旨を表す記号を描くようにしてもよい。
【００６４】
次に、上記操作条件の表示を併せて行う操作工程図を作成する手順について述べる。
【００６５】
基本的には、前述の操作工程図を表示させるのと同じである。前述のレシピデータを入力する表において、あらかじめ、次の項目を追加しておく。
（８）操作条件。
（９）機器条件。
【００６６】
そして、各操作を表す各行の上記各項目欄に、操作条件や機器条件などの該当データを入力していく。なお、この操作条件データは、前述の場合と同じく、操作者が手動で入力してもよく、また、これらの操作条件データを計算するソフトウエアや、これらの操作条件データをデータベースとして格納しているシステムなどを利用して入力してもよい。すなわち、これらの操作条件データは、操作者が手動で入力してもよいし、あるいは、あらかじめ、種々の条件値を操作者が任意に入力すると、そこからあらかじめ決めておいた制限から、最適な操作条件データを計算するソフトウエアがあればそれを利用して、計算された最適な操作条件データを操作者が入力してもよい。あるいは、さらに、そのようなソフトウエアから上記の表へ、そのような計算された最適な操作条件データが自動的に読み込まれるようにしてもよい。
【００６７】
以上の入力が完了すると、操作手順提示プログラム側では、ディスプレイ画面の表示領域を横３つに区分けし、一番左の領域に操作工程図を描く。そして、真ん中の領域では、項目（８）に従い、操作条件を、対応する操作の真横の位置に表示する。また、一番右の領域では、項目（９）に従い、機器条件を、対応する操作および操作条件の真横の位置に表示する。
【００６８】
なお、上記のように、操作者が、操作条件および機器条件のうちどれを表示させるかを選ぶことができるように、表示領域の特定の場所に、どれを表示させるかを選ぶメニューを表示し、選択の指示があればそれに則って表示をオン・オフするようにすることができる。
【００６９】
また、上記のように、操作者が、ディスプレイ画面の横３つに区分けされた表示領域のどこに上記３種のうちどの情報を配置させるかを選ぶことができるように、表示領域の特定の場所に、配置を決めるメニューを表示し、配置の指示があればそれに則って各情報をディスプレイ画面上で配置するようにすることができる。
【００７０】
また、本実施の形態では、操作工程図や操作条件や機器条件を表示している位置を指定すると、それに関する、より詳細な情報（詳細情報）を表示するようになっている。ここで、詳細情報とは、プロセスの検討や設備の設計に必要あるいは有益な情報を広く指すものであり、操作者が任意に設定が可能である。すなわち、上述のように機器条件や操作条件を決めて操作を行うわけであるが、例えば、なぜそのような条件に設定したのかを調べたいときなどに、そのような条件を導き出した根拠となる参考資料が、すぐに、特に、図２ないし図４のような操作工程図を見ながら知ることができれば、実際の操作を円滑に行うのに有用である。なお、その例については後述する。
【００７１】
今、図２のような表示を行っているとする。ここで、各操作を表す図形、すなわち「仕込」、「加熱」、「滴下」、「蒸留」と表示している図形に対し、マウスでクリックするなど、対象を指定する動作をポインティングデバイスなどで行うと、指定されたその操作についての詳細情報（単位操作情報）が表示される。
【００７２】
この単位操作情報の表示は、操作工程図の上に重なるように表示されてもよいし、ディスプレイ画面が２つに分かれ、一方に操作工程図、もう一方に単位操作情報が表示されるようにしてもよい。これは、以下のストリーム、操作条件、機器条件など、他のすべてについての詳細情報においても同様である。
【００７３】
また、各操作間の矢印を同様に指定すると、その機器における、その時点の、機器の内容物に関する情報（機器内マス情報）が表示される。例えば、操作（１）と操作（２）との間の矢印を指定すると、操作（１）が終わった時点の機器内マス情報が表示される。
【００７４】
また、各ストリームを表す文字、すなわち「原料Ａ」、「原料Ｂ」、「留出液」などの文字を同様に指定すると、指定されたそのストリームについての情報（ストリーム情報）が表示される。
【００７５】
また、図２の例で、各操作条件を表す文字、すなわち「（１）常温」、「（２）８０℃±５℃」などの文字を同様に指定すると、指定されたその操作条件についての詳細な情報（例えば操作条件情報、実験データ等）が表示される。
【００７６】
また、図２の例で、各機器条件を表す文字、すなわち「（１）Ｒ−１００」などの文字を同様に指定すると、指定されたその機器条件に記載されている機器についての情報（機器情報）が表示される。
【００７７】
また、上述のように分析対象の処理を表す矩形図形の斜め下などにここで分析を行う旨を表す記号を描いた場合、この記号を同様に指定すると、指定されたその分析処理についての情報（分析情報）が表示される。また、単位操作情報を表示する画面にもこの記号を表示し、この画面からすぐに該当操作についての分析情報を参照することができるように構成することもできる。
【００７８】
また、上記の各詳細情報を表示している文字や画像を同様に指定すると、さらに詳細な情報を表示するようにすることもできる。例えば、上記「単位操作情報」が表示されている場合、その画面内に「ユーティリティ情報表示」用ボタンを配置し、それをクリックすると、ユーティリティに関する情報を表示するようにすることができる。ここで、ユーティリティとは、各機器で用いられる電気、蒸気などのような加熱源、冷却水などのような冷却源等を指す。
【００７９】
同様に、上記「機器内マス情報」や「ストリーム情報」が表示されている場合、それらを表す文字などをクリックすると、前者であれば機器内にある物質、後者であればそのストリーム物質についての各種物性からなる「物質物性情報」を表示するようにすることができる。
【００８０】
同様に、上記「機器情報」が表示されている場合、それを表す文字などをクリックすると、その機器の図面など、その機器に関する、より詳細な情報を表示するようにすることができる。
【００８１】
同様に、上記「分析情報」が表示されている場合、それを表す文字などをクリックすると、その分析の結果、管理値からずれていた場合には、どのような処置をとればよいかなど、その分析に関する、より詳細な情報を表示するようにすることができる。
【００８２】
また、上記各詳細情報は、互いに関連させることもできる。例えば、「単位操作情報」が表示されているときに、他の詳細情報、例えば「機器内マス情報」、「ストリーム情報」、「機器情報」などを表示させるボタンを画面に配置しておき、それをクリックすると、対応する各詳細情報の画面に飛ぶようにすることもできる。
【００８３】
以下に、上記詳細情報の例を示す。本実施の形態では、これらの情報が、操作工程図や操作条件、機器条件の該当位置をクリックするだけで引っ張り出せ、ディスプレイ画面に表示させることができるようになっていてもよい。
（１）単位操作情報の例
（ａ）操作条件
一般：温度、圧力、攪拌回転数
反応：反応式（副反応を含む）、反応熱、反応率、仕込み量、攪拌回転数
ろ過：ウェットケーキ物性（ウェット率、かさ密度、ケーキ中の組成）
分液：上下層の種類、静置時間
乾燥：加熱条件、減圧条件、遠心条件、乾燥時間
攪拌：回転数
精留：還流比、留分切り替え判定条件
これらは、実験データファイルへリンクしている。すなわち、これらの各情報から、該当する実験データファイルを呼び出すことが可能となっていてもよい。
（ｂ）機器
機器名、付帯機器（コンデンサなど）名
これらは、機器情報へリンクさせてもよい。
（ｃ）分析情報
分析方法、管理値、管理値外の場合の処理法
（ｄ）ユーティリティ
使用ユーティリティ種、使用量
（ｅ）単位操作計算情報
ろ過：ろ過比抵抗、圧縮指数
分液：各層比重、分液速度
昇温：総括伝熱係数、ユーティリティ流量、出口温度
（ｆ）防災情報
防災データ
（ｇ）操作上の注意事項
冷えたときに結晶が出るか／水分が遊離するか
攪拌の起動タイミング
これらは、機器内マス（単位操作開始前／終了後）情報や、ストリーム（イン／アウト）情報や、機器情報へリンクさせてもよい。
（２）機器内マス情報の例
質量、容積
組成
相（液、固体、ガス、スラリー）
温度、圧力
混合物物性（比重、比熱、粘度、結晶析出温度）
これらは、物質物性へリンクさせてもよい。
（３）ストリーム情報の例
（ａ）
質量、容積
組成
相（液、固体、ガス、スラリー）
温度、圧力
混合物物性（比重、比熱、粘度、結晶析出温度）
これらは、物質物性へリンクさせてもよい。
（ｂ）
所要時間、流量
機器：（入／出）タンク、ポンプ、フィーダー／流量計
これらは、機器情報へリンクさせてもよい。
（ｃ）
単価（インストリームの場合。）
廃棄物処理方法（アウトストリームの場合。）
（４）純物質物性情報の例
物性：融点、沸点、比重、粘度、比熱、蒸気圧、蒸発潜熱
安全衛生情報：急性毒性、慢性毒性、感作性
（５）ユーティリティ情報の例
条件：温度、圧力
物性：比熱、蒸気圧
単価
（６）機器情報の例
（ａ）反応釜
メーカー名、製品名
容積
仕様：内径、攪拌翼種類・径、バッフル種類、鏡部種別、鏡部容量
材質
伝熱方法：ジャケット／内部コイル
（ｂ）遠心ろ過器
メーカー名、製品名
内径、ろ過面積
材質
ろ材
（ｃ）精留塔（充填塔）
塔径、塔高さ、充填高さ
充填物、メーカー名、種類
理論段数
材質
（ｄ）コンデンサ
形式：多管式、プレート型、スパイラル型など
伝熱面積
材質
管内、管外流体
（ｅ）ポンプ
種別
メーカー名、製品名
能力：流量、揚程
材質
これらは、それぞれの機器図面へリンクさせてもよい。
【００８４】
なお、これらの詳細情報は、操作者が手動で入力してもよいし、あるいは、あらかじめ、各処理や各機器に関するデータベースをコンピュータ内に蓄えておき、そこから操作者がコピーアンドペーストで入力してもよい。
【００８５】
あるいはまた、そのようなデータベースのコンピュータ内の所在場所（フォルダ名およびファイル名）を表すデータや、インターネットのホームページに該当するデータがあることがわかっている場合はその所在場所（ＵＲＬアドレス）を表すデータを操作者が入力しておき、ポインティングデバイスなどで指定するとコンピュータ内の該当のファイルやインターネットの該当ＵＲＬアドレスのホームページにアクセスするようにしてもよい。
【００８６】
さらに、本発明の操作手順提示装置の入力部に、処理を行う機器の測定機器からの情報が入力可能であり、本発明の操作手順提示装置のＣＰＵに該情報を前記操作条件と関連づけることが可能であり、本発明の操作手順提示装置の外部記憶機器に測定機器からの情報と操作条件の関連とが保存可能であれば、例えば、前回実施された処理に関わる詳細な測定結果を操作条件表示部から呼び出すこともできる。
【００８７】
本実施の形態では、このように、ディスプレイ画面（提示部）上で提示されている上記操作手順の提示位置に対して、より詳細な情報を提示させる旨の指示を受けると、指示された位置に対応する各種情報の、より詳細な情報を提示するようになっている。また、ディスプレイ画面（提示部）上で提示されている上記処理条件（操作条件、機器条件）の提示位置に対して、より詳細な情報を提示させる旨の指示を受けると、指示された位置に対応する各種情報の、より詳細な情報を提示するようになっている。このような提示は、上記同様、上記ディスプレイ画面を制御する提示制御部によって行っており、提示制御部は、具体的には、操作手順提示プログラムと、それを実行するＣＰＵ（中央演算処理部）とで実現することができる。
【００８８】
次に、上記詳細情報の表示を可能とする操作工程図を作成する手順について述べる。
【００８９】
操作手順提示プログラムは、図２の操作工程図を表示した段階で、操作者から、上記詳細情報の入力と、その詳細情報をディスプレイ画面の表示されているどの情報に対応づけるかの入力とを受け付ける。例えば、対話形式でその入力を行う機能を開始するボタンやメニューなどをディスプレイ画面の上部など適切な場所に表示しておけばよい。
【００９０】
これらの入力を受け付けると、それらすなわち「詳細情報の内容」と、「それはどの情報に対応づけられるのか」とを対応づけた対応表を生成し、ハードディスクなどに格納場所を作成して格納する。
【００９１】
そのため、上記詳細情報が対応付けられている情報を操作者がクリックなどすると、その情報を上記対応表から検索し、該当する詳細情報が存在すればそれを表示する。このようにして、上記詳細情報の表示が可能となる。
【００９２】
【発明の効果】
以上のように、請求項１に係る本発明の操作手順提示装置は、提示部が、操作同士の連関を示すことによって操作手順を提示する操作手順提示部と、該操作の条件を提示する操作条件提示部と、該機器の条件を提示する機器条件提示部とを備えている構成である。
【００９３】
また、請求項６に係る本発明のプログラムは、コンピュータを、請求項ないし５のいずれかに記載の操作手順提示装置における提示制御部として機能させる構成である。
【００９４】
また、請求項７に係る本発明のプログラムを格納したコンピュータ読みとり可能な記録媒体は、請求項６記載のプログラムを格納した構成である。
【００９５】
これにより、各操作を行うにあたって、そのための細かな条件を、迅速に確認することができる。それゆえ、温度条件、攪拌条件、圧力条件等の個々の操作条件や、操作に用いられる機器の材質、容量、消費電力、形状、大きさ等の機器仕様の詳細が一見して理解することができるようにすることができるという効果を奏する。
【００９６】
また、請求項２に係る本発明の操作手順提示装置は、上記の構成に加えて、上記操作手順提示部が、提示している上記操作手順の提示位置に対して、より詳細な情報を提示させる旨の指示を受けると、上記提示部が、指示された位置に対応する各種情報の、より詳細な情報を提示する構成である。
【００９７】
また、請求項３に係る本発明の操作手順提示装置は、上記の構成に加えて、上記操作条件提示部が、提示している上記操作条件の提示位置に対して、より詳細な情報を提示させる旨の指示を受けると、上記提示部が、指示された位置に対応する各種情報の、より詳細な情報を提示する構成である。
【００９８】
また、請求項４に係る本発明の操作手順提示装置は、上記の構成に加えて、上記機器条件提示部が、提示している上記機器条件の提示位置に対して、より詳細な情報を提示させる旨の指示を受けると、上記提示部が、指示された位置に対応する各種情報の、より詳細な情報を提示する構成である。
【００９９】
これにより、操作者は、上記各種情報を表示している画面とは別個に所望の処理を指定してそれについてのより詳細な情報を提示させる旨の指示を行うというような手間をとる必要がない。それゆえ、上記の構成による効果に加えて、操作手順、機器への物質収支および機器条件をいっそう容易に理解することができるという効果を奏する。
【０１００】
また、請求項５に係る本発明の操作手順提示装置は、上記の構成に加えて、操作者から上記各操作の内容の入力を受け付ける入力部を備え、上記入力部から入力された操作内容に基づき、上記操作手順提示部が上記操作手順を提示する構成である。
【０１０１】
これにより、操作者は、操作内容を入力するだけでよく、実際の表示用の図を一から設計する必要がない。それゆえ、上記の構成による効果に加えて、作業の省力化が実現できるという効果を奏する。
【図面の簡単な説明】
【図１】本発明に係る操作手順提示装置の一構成例を示すブロック図である。
【図２】本発明に係る操作手順提示装置における操作工程図の一構成例を示す図面である。
【図３】本発明に係る操作手順提示装置における操作工程図の他の構成例を示す図面である。
【図４】本発明に係る操作手順提示装置における操作工程図のさらに他の構成例を示す図面である。
【符号の説明】
１１　　コンピュータシステム（操作手順提示装置）
１２　　ＣＰＵ（提示制御部）
１３　　表示部（提示部）
１４　　記憶部
１５　　外部記憶装置
１６　　入力部
【図１】
2004062458.tif 000003
【図２】
2004062458.tif 000004
【図３】
2004062458.tif 000005
【図４】
2004062458.tif 000006